(57)【特許請求の範囲】
【請求項１】
質量％で、Ｃ：0.06〜0.15％、Si：0.05〜0.45％、Mn：1.2〜1.8％、Ｐ：0.020％以下、Ｓ：0.005％以下、Al：0.05％以下、Nb：0.005〜0.025％、Ｎ：0.0040％以下、Ti：0.005〜0.020％を含有し、残部がFeおよび不可避的不純物からなり、前記Ｎと前記Tiの含有量の比Ti／Ｎが2.5以上である組成を有し、強度が550〜670MPa、表層部の平均のビッカース硬さが225以下、表層部と板厚中央部の平均のビッカース硬さの差が60以下の鋼板を冷間加工して得た冷間成形角形鋼管の管端に開先を形成し、該冷間成形角形鋼管の管端にダイアフラムまたは他の冷間成形角形鋼管を、溶接入熱30kJ／cm以下かつパス間温度250℃以下で多層溶接することを特徴とする冷間成形角形鋼管の溶接方法。
【請求項２】
質量％で、Ｃ：0.06〜0.15％、Si：0.05〜0.45％、Mn：1.2〜1.8％、Ｐ：0.020％以下、Ｓ：0.005％以下、Al：0.05％以下、Nb：0.005〜0.025％、Ｎ：0.0040％以下、Ti：0.005〜0.020％を含有し、残部がFeおよび不可避的不純物からなり、前記Ｎと前記Tiの含有量の比Ti／Ｎが2.5以上である組成を有し、強度が550〜670MPa、表層部の平均のビッカース硬さが225以下、表層部と板厚中央部の平均のビッカース硬さの差が60以下の鋼板を冷間加工して得た冷間成形角形鋼管の管端とダイアフラムまたは他の冷間成形角形鋼管との接合部に位置する多層溶接層を備えた溶接継手の角部における溶接熱影響部の表層部の平均のビッカース硬さＡHAZと、前記冷間成形角形鋼管の角部における表層部の平均のビッカース硬さＡMATとが、
100×（ＡMAT−ＡHAZ）／ＡMAT≦35％
を満足することを特徴とする冷間成形角形鋼管の溶接継手。
【請求項３】
質量％で、Ｃ：0.06〜0.15％、Si：0.05〜0.45％、Mn：1.2〜1.8％、Ｐ：0.020％以下、Ｓ：0.005％以下、Al：0.05％以下、Nb：0.005〜0.025％、Ｎ：0.0040％以下、Ti：0.005〜0.020％を含有し、残部がFeおよび不可避的不純物からなり、前記Ｎと前記Tiの含有量の比Ti／Ｎが2.5以上である組成を有し、強度が550〜670MPa、表層部の平均のビッカース硬さが225以下、表層部と板厚中央部の平均のビッカース硬さの差が60以下の鋼板を冷間加工して得た冷間成形角形鋼管の管端とダイアフラムまたは他の冷間成形角形鋼管との接合部に位置する多層溶接層を備えた溶接継手の角部における溶接熱影響部の表層部の平均のビッカース硬さＡHAZと、前記冷間成形角形鋼管の角部における表層部の平均のビッカース硬さＡMATとが、
100×（ＡMAT−ＡHAZ）／ＡMAT≦35％
を満足する冷間成形角形鋼管の溶接継手を有することを特徴とする鋼管柱。
【発明の詳細な説明】
【技術分野】
【０００１】
本発明は、主に建築構造物の鋼管柱として使用される冷間成形角形鋼管に、ダイアフラムや他の冷間成形角形鋼管を溶接して接合する溶接方法とそれによる溶接継手、およびその溶接継手を有する鋼管柱に関するものである。
【背景技術】
【０００２】
一般に建築構造物では、鋼板に冷間加工を施して角形に成形して製造した鋼管（以下、冷間成形角形鋼管）の管端にダイアフラムや他の冷間成形角形鋼管を溶接によって接合したものを鋼管柱や梁として用いる。このような冷間成形角形鋼管の継手部において、溶接金属の強度が冷間成形角形鋼管より低い場合は、地震等で大きい荷重が建築構造物に加わることによって、鋼管柱がエネルギーを吸収する前に継手部が変形あるいは破壊されるので、建築構造物の耐震強度が低下する。
【０００３】
そこで建築構造物の鋼管柱等として用いるために冷間成形角形鋼管を溶接するにあたって、溶接金属の強度が母材である鋼板よりも大きくなるように、溶接材料や溶接条件を選択して溶接を行なう。
たとえば特許文献１には、冷間成形角形鋼管にダイアフラムを溶接する際に、使用する冷間成形角形鋼管の引張強さと衝撃吸収エネルギーを規定し、さらに溶接における溶接入熱とパス間温度を規定することによって、溶接金属の強度を向上して信頼性の高い接合構造を得る技術が開示されている。
【先行技術文献】
【特許文献】
【０００４】
【特許文献１】特開2003-293450号公報
【発明の概要】
【発明が解決しようとする課題】
【０００５】
一方、特許文献１では、その技術が角形鋼管のみならず円形鋼管にも適用できることが記載されている。つまり特許文献１に開示された接合構造は、角形鋼管の平板部の信頼性を高めることは可能であるが、角部の信頼性は必ずしも向上しない。
冷間成形角形鋼管は、図２に示すように、冷間でプレス機５を用いて鋼板４に曲げ加工を施して角部を形成するので、角部には加工硬化が生じる。母材の鋼板４は、その製造工程で圧延後に水冷されるので、表層の硬さ（以下，特に断りがない場合「硬さ」は「試験荷重98Nで実施するビッカース硬さ」を示す。）が鋼板内部より高くなっており、その鋼板４から冷間成形角形鋼管を製造する工程で角部の表層が鋼板内部より大きく変形するので、角部表層の硬さが一層上昇する傾向がある。
【０００６】
このような冷間成形角形鋼管を建築構造物の支柱として用いる際には、冷間成形角形鋼管の管端にダイアフラムや他の冷間成形角形鋼管を溶接して接合する。その溶接継手の熱影響部では硬さが低下し、特に角部表層の硬さが大きく低下する。その結果、建築構造物の鋼管柱には、局部的に軟質な部位が生じる。
溶接金属は、既に説明した通り、その硬さが母材である鋼板よりも高くなるように溶接を行なうので、地震が発生したときには、この熱影響部の軟質な部位に歪みが集中して変形や破断の原因となる。そのため、冷間成形角形鋼管の溶接継手の熱影響部の軟化、とりわけ角部表層の熱影響部の軟化を抑制する技術が求められている。
【０００７】
本発明は、冷間成形角形鋼管の管端にダイアフラムや他の冷間成形角形鋼管を溶接するにあたって、角部表層の熱影響部の軟化を抑制することによって歪みの集中を防止し、耐震安全性の高い建築構造物の鋼管柱を得るための溶接方法と溶接継手、およびその溶接継手を有する鋼管柱を提供することを目的とする。
【課題を解決するための手段】
【０００８】
本発明は、強度が550〜670MPa、表層部の平均のビッカース硬さが225以下、表層部と板厚中央部の平均のビッカース硬さの差が60以下の鋼板を冷間加工して得た冷間成形角形鋼管の管端に開先を形成し、冷間成形角形鋼管の管端にダイアフラムまたは他の冷間成形角形鋼管を、溶接入熱30kJ／cm以下かつパス間温度250℃以下で多層溶接する冷間成形角形鋼管の溶接方法である。
【０００９】
また本発明は、強度が550〜670MPa、表層部の平均のビッカース硬さが225以下、表層部と板厚中央部の平均のビッカース硬さの差が60以下の鋼板を冷間加工して得た冷間成形角形鋼管の管端とダイアフラムまたは他の冷間成形角形鋼管との接合部に位置する多層溶接層を備えた溶接継手の角部における溶接熱影響部の表層部の平均のビッカース硬さＡHAZと、冷間成形角形鋼管の角部における表層部の平均のビッカース硬さＡMATとが、
100×（ＡMAT−ＡHAZ）／ＡMAT≦35％
を満足する冷間成形角形鋼管の溶接継手である。
【００１０】
また本発明は、上記の溶接継手を有する鋼管柱である。
ここで、表層部とは鋼板の表裏面から板厚方向に１〜５mmの領域を、また、板厚中央部とは板厚中心±２mmの領域を指す。
また、冷間成形角形鋼管の強度は、平板部においてＪＩＳZ2201 ５号または1A号または４号の試験片で測定する。
【発明の効果】
【００１１】
本発明によれば、冷間成形角形鋼管の管端にダイアフラムや他の冷間成形角形鋼管を溶接するにあたって、角部表層の熱影響部の軟化を抑制して歪みの集中を防止し、耐震安全性の高い建築構造物の鋼管柱を得ることができる。
【図面の簡単な説明】
【００１２】
【図１】本発明を適用する建築構造物の鋼管柱の例を模式的に示す斜視図である。
【図２】鋼板のプレス成形の例を模式的に示す断面図である。
【図３】正負交番漸増載荷方式の曲げ試験の例を示す側面図である。
【発明を実施するための形態】
【００１３】
図１は、本発明を適用する建築構造物の鋼管柱の例を模式的に示す斜視図であり、(a)は冷間成形角形鋼管の管端にダイアフラムを溶接した例、(b)は冷間成形角形鋼管の管端に他の冷間成形角形鋼管を溶接した例である。
まず冷間成形角形鋼管の母材となる鋼板について説明する。
鋼板の好ましい成分は以下の通りである。なお、以下では、特に断らない限り、質量％は単に％と記す。
【００１４】
Ｃ：0.05〜0.16％
Ｃは、鋼の強度を増加させ、構造用鋼材として必要な強度を確保するのに有用な元素である。さらにＣは、硬質相の体積率を増加させ、降伏比を低下させる作用を有する。このような効果を得るためには0.05％以上の含有を必要とする。一方、0.16％を超える含有は、溶接性と靭性を顕著に低下させる。加えて、鋼板の硬さが上昇し、さらに冷間成形角形鋼管の角部表層の硬さが一層上昇する。そして、溶接によって角部表層の熱影響部が大幅に軟化するので、地震の際に歪みが集中し易くなる。このため、Ｃは0.05〜0.16％の範囲に限定した。なお、好ましくは0.06〜0.15％である。
【００１５】
Si：0.05〜0.45％
Siは、脱酸剤として作用するとともに、鋼中に固溶し鋼材の強度を増加させる。このような効果を得るためには0.05％以上の含有を必要とする。一方、0.45％を超える含有は、母材の靱性を低下させるとともに、溶接熱影響部（HAZ）靱性を顕著に低下させる。このため、Siは0.05〜0.45％の範囲に限定した。なお、好ましくは、0.05〜0.35％である。
【００１６】
Mn：1.2〜1.8％
Mnは、固溶して鋼の強度を増加させる作用を有する元素で安価であり、高価な他の合金元素の含有を最小限に抑えた角形鋼管を用いる本発明では、所望の高強度（引張強さ：550MPa以上）を確保するために、1.2％以上の含有を必要とする。一方、1.8％を超える含有は、母材の靱性およびHAZ靱性を著しく低下させる。このため、Mnは1.2〜1.8％の範囲に限定した。なお、好ましくは1.2〜1.6％である。
【００１７】
Ｐ：0.020％以下
Ｐは、鋼の強度を増加させる作用を有する元素であるが、靱性、とくに溶接部の靱性を低下させる元素であり、本発明で用いる角形鋼管ではできるだけ低減することが望ましいが、過度の低減は、精錬コストを高騰させ経済的に不利となるため、0.005％程度以上とすることが好ましい。一方、0.020％を超えて含有すると、上記した悪影響が顕著となるため、Ｐは0.020％以下に限定した。なお、好ましくは0.015％以下である。
【００１８】
Ｓ：0.005％以下
Ｓは、鋼中ではMnＳ等の硫化物系介在物として存在し、母材および溶接部の靱性を劣化させるとともに、鋳片中央偏析部などに多量に偏在して鋳片等における欠陥を発生しやすくする。このような傾向は0.005％を超える含有で顕著となる。このため、Ｓは0.005％以下に限定した。好ましくは0.003％以下である。なお、過度のＳ低減は、精錬コストを高騰させ、経済的に不利となるため、Ｓは0.001％程度以上とすることが望ましい。
【００１９】
Al：0.05％以下
Alは、脱酸剤として作用する元素であり、高張力鋼の溶鋼脱酸プロセスにおいては、脱酸剤として、もっとも汎用的に使われる。このような効果を得るためには、0.01％以上含有することが望ましいが、0.05％を超える含有は、母材の靱性が低下するとともに、溶接時に溶接金属に混入して溶接金属部靱性を低下させる。このため，Alは0.05％以下に限定した。なお、好ましくは0.010〜0.045％である。
【００２０】
Nb：0.005〜0.025％
Nbは、焼入性を高めるとともに、制御圧延の効果を高めミクロ組織を微細化する作用を介して、母材強度を増加させる元素であり、高強度化のために有用な元素である。このような効果を得るためには、0.005％以上含有することが必要となる。一方、0.025％を超える含有は、母材やHAZの靭性を低下させる。このため、Nbは0.005〜0.025％の範囲に限定した。なお、好ましくは0.007〜0.020％である。
【００２１】
Ｎ：0.0040％以下
Ｎは、鋼中に固溶している場合には、冷間加工後に歪時効を起こし靭性を劣化させるため、本発明で用いる角形鋼管ではできるだけ低減することが望ましい。0.0040％を超えて含有すると、靭性の劣化が著しくなる。このため、Ｎは0.0040％以下に限定した。
Ti：0.005〜0.020％
Tiは、Ｎとの親和力が強い元素であり、凝固時にTiＮとして析出し、鋼中の固溶Ｎを減少させ、冷間加工後のＮの歪時効による靭性劣化を低減する作用を有する。また、Tiは、HAZの組織改善を介して、HAZ靭性の向上にも寄与する。このような効果を得るためには、0.005％以上の含有を必要とする。一方、0.020％を超えて含有すると、TiＮ粒子が粗大化し、上記した効果が期待できなくなる。このため、Tiは0.005〜0.020％の範囲に限定した。なお、好ましくは0.007〜0.015％である。
【００２２】
Ti／Ｎ：2.5以上
Tiは、固溶ＮをTiＮとして固定することから、Ｎ含有量に見合う量を含有させる。このため、Ti含有量とＮ含有量との比、Ti／Ｎが2.5以上を満足するように、Ti含有量を調整する。Ti／Ｎが2.5未満では、Ｎ含有量に比べてTi含有量が少なすぎ、多くのＮが固溶Ｎとして残存して、HAZ靭性が低下、溶接部からの脆性破壊発生により部材変形性能が低下する場合がある。このため、Ti／Ｎを2.5以上に限定した。なお好ましくは、3.0〜5.0の範囲である。
【００２３】
上記した成分が基本の成分であるが、基本の組成に加えてさらに、選択元素として、Cu：0.05〜0.30％、Ni：0.05〜0.30％、Cr：0.05〜0.50％、Mo：0.04〜0.40％、Ｖ：0.01〜0.06％のうちから選ばれた１種または２種以上、および／または、Ca：0.0005〜0.0050％、REM：0.0010〜0.0050％、Mg：0.0010〜0.0050％のうちから選ばれた１種または２種以上を含有できる。
【００２４】
Cu：0.05〜0.30％、Ni：0.05〜0.30％、Cr：0.05〜0.50％、Mo：0.04〜0.40％、Ｖ：0.01〜0.06％のうちから選ばれた１種または２種以上
Cu、Ni、Cr、Mo、Ｖはいずれも、鋼の強度を増加させる作用を有する元素であり、必要に応じて選択して含有できる。
Cuは、固溶強化や焼入性向上を介して、鋼板の強度を増加させ、厚鋼板の高強度化に寄与する。このような効果を得るためには、0.05％以上含有することが好ましいが、0.30％を超える含有は、合金コストの増加や熱間脆性による表面性状の劣化を招く。このため、含有する場合には、Cuは0.05〜0.30％の範囲に限定することが好ましい。なお、より好ましくは0.05〜0.20％である。
【００２５】
Niは、靱性をほとんど劣化させることなく、鋼板の強度を増加させる元素であり、しかもHAZ靱性への悪影響も小さく、厚鋼板の高強度化に有用な元素である。このような効果を得るためには、0.05％以上含有することが好ましいが、0.30％を超える多量の含有は、Niが高価な元素であるため、合金コストの増加を招く。このため、含有する場合は、Niは0.05〜0.30％に限定することが好ましい。なお、より好ましくは0.05〜0.20％である。
【００２６】
Crは、焼入性向上を介し、母材の強度を増加させる元素であり、厚鋼板の高強度化に有用な元素である。このような効果を得るためには、0.05％以上含有することが好ましいが、0.50％を超える含有は、合金コストの増加を招く。このため、含有する場合には、Crは0.05〜0.50%の範囲に限定することが好ましい。なお、より好ましくは0.05〜0.30％である。
【００２７】
Moは、焼入性向上を介し、母材の強度を増加させる元素であり、厚鋼板の高強度化に有用な元素である。とくに、Moは第二相（硬質相）の硬度を高めることにより、降伏比の低下と高強度化を同時に達成する効果を有する。このような効果を得るためには、0.04％以上含有することが好ましいが、0.40％を超える含有は、母材やHAZの靭性を低下させる。このため、含有する場合には、Moは0.04〜0.40％の範囲に限定することが好ましい。なお、より好ましくは0.04〜0.20％である。
【００２８】
Ｖは、析出強化を介して母材の強度を増加させる元素であり、厚鋼板の高強度化のために有用な元素である。このような効果を得るためには、0.01％以上含有することが好ましいが、 0.06％を超える含有は、母材やHAZの靭性を低下させる。このため、含有する場合には、Ｖは0.01〜0.06％の範囲に限定することが好ましい。なお、より好ましくは0.02〜0.05％である。
【００２９】
Ca：0.0005〜0.0050％、REM：0.0010〜0.0050％、Mg：0.0010〜0.0050％のうちから選ばれた１種または２種以上
Ca、REM、Mgはいずれも、硫化物の形態制御を介して母材の靭性向上および延性向上に寄与する。また、微細な硫化物粒子を鋼中に分散させた場合には、フェライト変態核として作用することによってHAZ靱性の向上にも寄与する。これらの効果を得るためには、Caでは少なくとも0.0005％、REMおよびMgではそれぞれ少なくとも0.010％を含有することが好ましいが、Ca、REM、Mgをいずれも0.0050％を超えて含有すると、過剰な介在物が生成し、逆に靱性が低下する場合がある。このため、含有する場合には、Caは0.0005〜0.0050％、REMおよびMgはそれぞれ、0.0010〜0.0050％の範囲に限定することが好ましい。
【００３０】
鋼板の上記した成分以外は、Feおよび不可避的不純物である。
これらの元素を含有する鋼材を熱間圧延する際に、加速冷却や熱処理を施して、所定の強度と硬さを有する鋼板を得る。
母材となる鋼板の強度が550MPa未満では、鋼板内の板厚内硬度差は大きくなりにくく、溶接による熱影響部の軟化割合も小さい。このため、熱影響部へのひずみ集中を回避するための条件が550MPa級とは異なる。
【００３１】
一方、鋼板の強度が670MPaを超えると、鋼板の硬さが上昇し、さらに冷間成形角形鋼管の角部表層の硬さが大幅に上昇する。そして、溶接によって角部表層の熱影響部が著しく軟化するので、地震の際に歪みが集中して亀裂の起点となり易くなる。したがって、鋼板の強度は550〜670MPaの範囲内とする。
鋼板の表層部（すなわち鋼板の表裏面から板厚方向に１〜５mmの領域）の平均のビッカース硬さが225を超えると、冷間成形角形鋼管の角部表層の硬さが大幅に上昇するので、溶接によって角部表層の熱影響部が著しく軟化して、地震の際に歪みが集中して亀裂の起点となり易くなる。したがって、鋼板の表層部の平均のビッカース硬さは225以下とする。一方、表層部の平均のビッカース硬さが120未満では、550MPa級の建築構造物の鋼管柱として十分な強度が得られない。したがって、鋼板の表層部の平均のビッカース硬さは120〜225の範囲内が好ましい。
【００３２】
鋼板の表層部の平均のビッカース硬さがこの範囲内であれば、鋼板を冷間加工して冷間成形角形鋼管を得るために角部（通常は板厚ｔmmに対して曲率半径3.5ｔ程度）の曲げ加工を施しても、角部の表層部の平均のビッカース硬さを最大275に抑えることができる。
鋼板の板厚中央部の硬さは、既に説明した通り、表層部よりも低くなる。板厚中央部と表層部の平均のビッカース硬さの差が60を超えると、板厚中央部の強度が低すぎるので、地震の際に生じた亀裂が容易に伝播する。したがって、鋼板の板厚中央部と表層部の平均のビッカース硬さの差は60以下とする。鋼板の板厚中央部と表層部の平均のビッカース硬さの差がゼロであっても良い。
【００３３】
このような鋼板に冷間で図２に示すような曲げ加工を施し、さらにシーム部を接合して冷間成形角形鋼管とする。
次いで、得られた冷間成形角形鋼管の管端に開先を形成し、図１に示すように、ダイアフラム２や他の冷間成形角形鋼管１を溶接して、建築構造物の鋼管柱とする。この冷間成形角形鋼管１の管端の溶接では、溶接入熱を30kJ／cm以下かつパス間温度を250℃以下とする。溶接入熱とパス間温度をこのように規定して多層溶接を行なうことによって、溶接継手３の熱影響部における角部の表層部の平均のビッカース硬さを180以上（冷間成形角形鋼管１の角部の表層部の平均のビッカース硬さは275以下）に留めることが可能となる。なおパス間温度は、多パス溶接において、次のパスが始まる前のパスの最低温度を指す。
【００３４】
したがって、冷間成形角形鋼管１の角部の表層部の平均のビッカース硬さをＡMATとし、溶接熱影響部の角部の表層部の平均のビッカース硬さをＡHAZとすると、硬さ低下率（＝100×（ＡMAT−ＡHAZ）／ＡMAT）の最大値は100×（275−180）／275）＝35％となる。
つまり、角部の硬さ低下率100×（ＡMAT−ＡHAZ）／ＡMAT≦35％の範囲内であれば、角部表層の熱影響部に歪みが集中するのを防止し、耐震安全性の高い建築構造物の鋼管柱を得ることができる。
【００３５】
なお、溶接入熱が30kJ／cmを超えると溶接熱影響部の軟化が大きくなり、ビッカース硬さで180以上確保するのが著しく困難になり、上述の硬さ低下率を満足することができない。また、溶接入熱が30kJ／cmを超えると、一般的に使用する冷間成形角形鋼管母材と同等または少し高い強度クラスの溶接材料で、鋼管母材と同等以上の溶接金属強度を確保することが困難になる。従って、溶接入熱は30kJ／cm以下とする。一方、溶接入熱が低すぎると溶接パス数増加に伴い作業時間が長くなる上に、溶け込み不良といった溶接欠陥を誘発する。従って、より望ましくは溶接入熱は7kJ／cm以上とする。
【００３６】
また、パス間温度が250℃度を超える溶接条件では、一般的に使用する冷間成形角形鋼管母材と同等または少し高い強度クラスの溶接材料で、鋼管母材と同等以上の溶接金属強度を確保することが難しくなる。従って、パス間温度は250℃度以下とする。
以上の理由により、溶接入熱は30kJ／cm以下、かつ、パス間温度は250℃以下とすることが好ましい。溶接入熱を7kJ／cm以上30kJ／cm以下とすればより能率的である。
【実施例】
【００３７】
表１に示す成分の鋼材を熱間圧延し、さらに冷間加工を行なって冷間成形角形鋼管を得た後、その管端にダイアフラムを溶接して、溶接継手の特性を調査した。その手順を説明する。
【００３８】
【表１】
0005912364.tif 000002
【００３９】
表２に示す試験体No.１、５、７（比較例）の母材は、熱間圧延の後で１段階の加速冷却を施して強度を550MPa相当とし、鋼板（すなわち冷間成形角形鋼管の平板部）の表層部と板厚中央部の平均のビッカース硬さの差を大きくしたものである。その鋼板を冷間加工して得た冷間成形角形鋼管の寸法（すなわち辺長，板厚）、および平板部の表層部、板厚中央部の平均のビッカース硬さと角部の表層部の平均のビッカース硬さは表２に示す通りである。次いで、図１(a)に示すように、冷間成形角形鋼管１の管端にダイアフラム２を溶接し、その溶接継手３の熱影響部における角部の表層部の平均のビッカース硬さを測定した結果を表２に併せて示す。これを試験体No.１、５、７とする。
【００４０】
試験体No.２、３（発明例）およびNo.６（比較例）の母材は、熱間圧延の後で途中冷却停止を含む第１段冷却と第２段冷却からなる２段階の加速冷却を施して強度を550MPa相当とし、鋼板の表層部と板厚中央部の平均のビッカース硬さの差を小さくしたものである。その鋼板を冷間加工して得た冷間成形角形鋼管の寸法、および平板部の表層部、板厚中央部の平均のビッカース硬さと角部の表層部の平均のビッカース硬さは表２に示す通りである。次いで、図１(a)に示すように、冷間成形角形鋼管の管端にダイアフラムを溶接し、その溶接継手の熱影響部における角部の表層部の平均のビッカース硬さを測定した結果を表２に併せて示す。これを試験体No.２、３、６とする。
【００４１】
試験体No.４（発明例）の母材は、熱間圧延の後で熱処理を施して強度を550MPa相当とし、鋼板の表層部と板厚中央部の平均のビッカース硬さの差を小さくしたものである。その鋼板を冷間加工して得た冷間成形角形鋼管の寸法、および平板部の表層部、板厚中央部の平均のビッカース硬さと角部の表層部の平均のビッカース硬さは表２に示す通りである。次いで、図１(a)に示すように、冷間成形角形鋼管の管端にダイアフラムを溶接し、その溶接継手の熱影響部における角部の表層部の平均のビッカース硬さを測定した結果を表２に併せて示す。これを試験体No.４とする。
【００４２】
試験体No.１〜５にダイアフラムを溶接するにあたって、いずれも溶接入熱を30kJ／cm以下とし、かつパス間温度を250℃以下とした。試験体No.６では、溶接入熱を最大35 kJ／cm以下とし、試験体No.７では、パス間温度を最大275℃とした。また、溶接材料は同じものを使用して、いずれも溶接金属の硬さが冷間成形角形鋼管の角部における表層部の平均のビッカース硬さＡMATよりも高くなるようにした。
【００４３】
【表２】
0005912364.tif 000003
【００４４】
表２中の発明例（試験体No.２〜４）は、鋼板（すなわち平板部）の強度、表層部の平均のビッカース硬さ、表層部と板厚中央部の平均のビッカース硬さの差、および溶接入熱とパス間温度、さらに角部における溶接熱影響部の硬さ低下率（＝100×（ＡMAT−ＡHAZ）／ＡMAT）が本発明の範囲を満足する例である。
比較例の試験体No.１は、鋼板の表層部の平均のビッカース硬さ、および表層部と板厚中央部の平均のビッカース硬さの差が本発明の範囲を外れ、かつ角部の硬さ低下率（＝100×（ＡMAT−ＡHAZ）／ＡMAT）が本発明の範囲を外れる例である。
【００４５】
比較例の試験体No.５は、鋼板の表層部の平均のビッカース硬さ、および表層部と板厚中央部の平均のビッカース硬さの差が本発明の範囲を外れる例である。
比較例の試験体No.６は、角部の硬さ低下率が本発明の範囲を外れ、かつ溶接の入熱が本発明の範囲を外れる例である。
比較例の試験体No.７は、鋼板の表層部の平均のビッカース硬さ、および表層部と板厚中央部の平均のビッカース硬さの差が本発明の範囲を外れ、かつ角部の硬さ低下率、溶接のパス間温度が本発明の範囲を外れる例である。
【００４６】
これらの試験体No.１〜７を用いて、図３に示すような正負交番漸増載荷方式の曲げ試験を行なった。つまり、試験体の断面の全塑性モーメント時の弾性部材角θpを基準として、θp、２θp、３θp、４θp・・・の変形を各１回ずつ与える正負交番漸増載荷を行なって、塑性率μを測定した。その結果を表２に示す。塑性率μは、破断に至るまでの最大部材回転角をθpを除した値であり、塑性率μが大きいほど曲げ変形に対する耐久性が優れていることを示す。
【００４７】
表２に示すように、発明例の試験体No.２〜４の塑性率μは6.2〜7.6であったのに対して、比較例の試験体No.１、５〜７は5.1〜6.0であった。特に発明例のうちの試験体No.２，３は、塑性率μが7.0以上であった。
建築基準法に示される幅厚比ランクＦＡの冷間成形角形鋼管にて塑性率μを７以上とするのは、400MPa級鋼材，490MPa級鋼材であれば従来から可能であったが、550MPa級鋼材では困難とされていた。本発明では、550MPa級鋼材であっても、幅厚比ランクＦＡの冷間成形角形鋼管の塑性率μを７以上とすることが可能であることが確かめられた。
【００４８】
なお、建築基準法で規定されるＦＡランク断面の条件は、鋼管径をＢ、鋼管板厚をｔ、原板の降伏耐力をσｙ、ヤング係数をＥ(＝205000MPa)として、（Ｂ／ｔ）×（σｙ／Ｅ）1/2＜１．１１７３である。
【符号の説明】
【００４９】
１  冷間成形角形鋼管
２  ダイアフラム
３  溶接継手
４  鋼板
５  プレス機
【図１】
0005912364.tif 000004
【図２】
0005912364.tif 000005
【図３】
0005912364.tif 000006